(57)【要約】【課題】扉を開放した際にヒンジ側の扉の角部を隣接する壁に接触しにくくして、扉を十分に開放できるようにする。【解決手段】前面に開口部を有する箱体と、開口部を開閉する扉と、箱体に対して扉を回転可能に支持するヒンジ機構とを備え、ヒンジ機構は、扉の上下に設けられた多軸ヒンジを有する。【選択図】図６
2020091066.tif 000002
【特許請求の範囲】
【請求項１】
前面に開口部を有する箱体と、
前記開口部を開閉する扉と、
前記箱体に対して前記扉を回転可能に支持するヒンジ機構とを備え、
前記ヒンジ機構は、前記扉の上下に設けられた多軸ヒンジを有する収納装置。
【請求項２】
前記箱体は、仕切壁によって仕切られた上部開口部及び下部開口部を有し、
前記扉は、前記上部開口部を開閉する上扉と、前記下部開口部を開閉する下扉とを有し、
前記ヒンジ機構は、前記上扉及び前記下扉それぞれの上下に設けられた多軸ヒンジを有する、請求項１記載の収納装置。
【請求項３】
前記多軸ヒンジは、
前記箱体に固定される本体側部材と、
前記上扉又は前記下扉に固定される扉側部材と、
前記本体側部材及び前記扉側部材を連結するリンク機構とを備え、
前記上扉及び前記下扉の間に位置する２つの多軸ヒンジは、前記本体側部材が共通とされている、請求項２記載の収納装置。
【請求項４】
前記上扉及び前記下扉の間に位置する２つの多軸ヒンジは、互いに共通の軸部材により回転可能に構成されている、請求項２又は３記載の収納装置。
【請求項５】
前記上扉及び前記下扉の間に位置する２つの多軸ヒンジは、強度を補強する補強部材を有する、請求項２、３又は４記載の収納装置。
【請求項６】
前記共通とされた本体側部材は、
前記上扉の下に設けられる多軸ヒンジのリンク機構が連結される平板状の上側突出部と、
前記下扉の上に設けられる多軸ヒンジのリンク機構が連結される平板上の下側突出部とを有する、請求項３記載の収納装置。
【請求項７】
前記リンク機構は、複数のリンクと、前記リンクを前記本体側部材又は前記扉側部材又は他のリンクに対して回転可能に連結する複数の軸部材とを有しており、
前記複数のリンクの少なくとも１つは、回転に伴って他のリンクに設けられた前記軸部材を収容する凹部を有する、請求項３又は６記載の収納装置。
【請求項８】
前記上扉及び前記下扉の間に位置する２つの多軸ヒンジにおいて、前記扉側部材以外の構成部品が上下対称となるように構成されている、請求項３、６又は７記載の収納装置。
【請求項９】
前記上扉及び前記下扉の間に位置する２つの多軸ヒンジにおいて、前記本体側部材及び前記扉側部材以外の構成部品は、同一形状とされている、請求項３、６、７又は８記載の収納装置。
【請求項１０】
前記上扉及び前記下扉の間に位置する２つの多軸ヒンジにおいて、前記冷蔵庫本体において左右対称に取り付け可能に構成されている、請求項２乃至９の何れか一項に記載の収納装置。
【請求項１１】
前記２つの多軸ヒンジは、前記本体側部材と共通の軸部材により連結されている、請求項３、６、７、８又は９記載の収納装置。
【請求項１２】
前記上扉の上に設けられた多軸ヒンジ及び前記下扉の下に設けられた多軸ヒンジの強度は、前記上扉及び前記下扉の間に位置する２つの多軸ヒンジの強度よりも大きい、請求項２乃至１１の何れか一項に記載の収納装置。
【請求項１３】
前記上扉及び前記下扉の間に位置する２つの多軸ヒンジにおいて、上側に位置する多軸ヒンジの強度と下側に位置する多軸ヒンジの強度とが互いに異なる、請求項２乃至７の何れか一項に収納装置。
【請求項１４】
前記上側に位置する多軸ヒンジの回転軸に直交する方向から見た厚みと、前記下側に位置する多軸ヒンジの回転軸に直交する方向から見た厚みとが互いに異なる、請求項１３記載の収納装置。
【請求項１５】
前記上扉及び前記下扉の間に位置する２つの多軸ヒンジにおいて、前記冷蔵庫本体において左右対称又は上下対称に取り付け可能に構成されている、請求項１３又は１４記載の収納装置。
【請求項１６】
前記扉は、前記開口部を閉塞する閉塞面とは異なる面に前記ヒンジ機構が取り付けられるものである、請求項１乃至１５の何れか一項に記載の収納装置。
【請求項１７】
請求項１乃至１６の何れか一項に記載の収納装置と、
前記箱体の内部を冷却するための冷凍サイクルとを備える冷蔵庫。
【発明の詳細な説明】
【技術分野】
【０００１】
本発明は、収納装置及び当該収納装置を用いた冷蔵庫に関するものである。
【背景技術】
【０００２】
冷蔵庫には、前面に開口部を有する冷蔵庫本体と、開口部を開閉する扉と、冷蔵庫本体に対して扉を回転可能に支持するヒンジ機構とを備えたものがある。このヒンジ機構は、特許文献１に示すように、その回転軸が一軸であり、扉はこの軸回りに回転するように構成されている。
【０００３】
また、この冷蔵庫は、キッチンの収納空間に一体的に据え付けられて使用されたり、収納家具に収容されて使用されたりする場合がある。
【０００４】
しかしながら、このような使用態様では、冷蔵庫と隣接する壁との隙間が制約されてしまう。その結果、上記のように１軸のヒンジ構造を有する冷蔵庫では、扉を開放した際に、ヒンジ側の扉の角部が隣接する壁に接触してしまい、扉を十分に開放することができない場合がある。
【先行技術文献】
【特許文献】
【０００５】
【特許文献１】特開２０１６−４８１３９号公報
【発明の概要】
【発明が解決しようとする課題】
【０００６】
そこで本発明は、上記問題点を解決すべくなされたものであり、扉を開放した際にヒンジ側の扉の角部を隣接する壁に接触しにくくして、扉を十分に開放できるようにすることを主たる課題とするものである。
【課題を解決するための手段】
【０００７】
すなわち本発明に係る収納装置は、前面に開口部を有する箱体と、前記開口部を開閉する扉と、前記箱体に対して前記扉を回転可能に支持するヒンジ機構とを備え、前記ヒンジ機構は、前記扉の上下に設けられた多軸ヒンジを有することを特徴とする。
【０００８】
このような収納装置であれば、ヒンジ機構が扉の上下に設けられた多軸ヒンジを有するので、扉を開放させる際に扉を箱体から前方に移動させることができる。その結果、収納装置を例えばキッチンの収納空間に一体的に据え付けて使用したり、収納家具に収容して使用したりする場合であっても、扉を開放した際にヒンジ側の扉の角部が隣接する壁に接触しにくくなり、扉を十分に開放できるようにすることができる。
【０００９】
具体的な実施の態様としては、前記箱体は、仕切壁によって仕切られた上部開口部及び下部開口部を有し、前記扉は、前記上部開口部を開閉する上扉と、前記下部開口部を開閉する下扉とを有し、前記ヒンジ機構は、前記上扉及び前記下扉それぞれの上下に設けられた多軸ヒンジを有することが考えられる。
【００１０】
多軸ヒンジの具体的な実施の態様としては、前記多軸ヒンジは、前記箱体に固定される本体側部材と、前記上扉又は前記下扉に固定される扉側部材と、前記本体側部材及び前記扉側部材を連結するリンク機構とを備えることが考えられる。
この構成では、上扉及び下扉の間に、上扉用の多軸ヒンジ及び下扉用の多軸ヒンジが上下に並んで配置されるため、これらの多軸ヒンジを取り付ける部分である仕切壁の厚みを大きくする必要があり、同じ高さの収納装置と比較して内部の内容積が小さくなってしまう。
この問題を好適に解決するためには、前記上扉及び前記下扉の間に位置する２つの多軸ヒンジは、前記本体側部材が共通とされていることが望ましい。また、本体側部材が２つの多軸ヒンジで共通とされているので２つの多軸ヒンジの厚みを薄くしても、共通とされた本体側部材の機械的強度を確保することができる。
【００１１】
前記上扉及び前記下扉の間に位置する２つの多軸ヒンジは、互いに共通の軸部材により回転可能に構成されていることが望ましい。この構成であれば、軸部材の部品点数を削減することができる。
【００１２】
前記上扉及び前記下扉の間に位置する２つの多軸ヒンジは、機械的強度を補強する補強部材を有することが望ましい。この構成であれば、前記上扉及び前記下扉の間に位置する２つの多軸ヒンジの機械的強度を確保することができる。
【００１３】
前記共通とされた本体側部材は、前記上扉の下に設けられる多軸ヒンジのリンク機構が連結される平板状の上側突出部と、前記下扉の上に設けられる多軸ヒンジのリンク機構が連結される平板上の下側突出部とを有することが望ましい。この構成において、共通とされた本体側部材の機械的強度を確保しつつ、箱体への取付スペースを小さくするためには、共通とされた本体側部材において、上側突出部と下側突出部との間の中間部が箱体に固定される構成とすることが望ましい。
【００１４】
前記リンク機構は、複数のリンクと、前記リンクを前記本体側部材又は前記扉側部材又は他のリンクに対して回転可能に連結する複数の軸部材とを有しており、前記複数のリンクの少なくとも１つは、回転に伴って他のリンクに設けられた前記軸部材を収容する凹部を有することが望ましい。この構成であれば、複数のリンクを展開又は折り畳む際にリンクと軸部材とが干渉して扉の開閉の障害となることを防ぐことができ、扉による開口部の閉塞及び開放を確実にすることができる。また、折り畳まれた状態で凹部が軸部材を収容するので、多軸ヒンジをコンパクトにすることができる。
前記リンク機構は、複数のリンクアームと、前記リンクアームを前記本体側部材又は前記扉側部材又は他の前記リンクアームとを相対的に回転可能に連結する複数の軸部材とを有しており、前記リンク機構が有する複数の前記リンクアームの内の少なくとも１つは、前記軸部材を収容する少なくとも１つの軸部材収容凹部を有し、前記軸部材収容凹部は、前記扉が前記開口部を閉塞する閉塞位置又は前記扉が前記開口部を開放する解放位置にある場合に、前記軸部材収容凹部が設けられた前記リンクアームの連結に用いられていない前記軸部材を収容することが望ましい。
【００１５】
前記上扉及び前記下扉の間に位置する２つの多軸ヒンジにおいて、前記扉側部材以外の構成部品が上下対称となるように構成されていることが望ましい。
この構成であれば、扉が開口部に対して左開き及び右開きの何れであっても、同一構成の多軸ヒンジを用いることができる。
【００１６】
前記上扉及び前記下扉の間に位置する２つの多軸ヒンジにおいて、前記本体側部材及び前記扉側部材以外の構成部品は、同一形状とされていることが望ましい。
この構成であれば、多軸ヒンジの部品の共通化を図ることができる。
【００１７】
前記上扉及び前記下扉の間に位置する２つの多軸ヒンジにおいて、前記箱体において左右対称に取り付け可能に構成されていることが望ましい。
この構成であれば、扉が開口部に対して左開き及び右開きの何れであっても、同一構成の多軸ヒンジを用いることができる。
【００１８】
前記上扉の上に設けられた多軸ヒンジ及び前記下扉の下に設けられた多軸ヒンジの強度は、前記上扉及び前記下扉の間に位置する２つの多軸ヒンジの強度よりも大きいことが望ましい。
この構成であれば、上扉の荷重の大部分を上扉の上に設けられた多軸ヒンジで支持し、下扉の荷重の大部分を下扉の下に設けられた多軸ヒンジで支持することになる。その結果、上扉及び下扉の間に位置する２つの多軸ヒンジの強度を大きくする必要が無く、それら２つの多軸ヒンジの厚みを薄くすることができ、仕切壁の厚みを薄くして庫内の内容積を大きくすることができる。
【００１９】
また、上扉の荷重と下扉の荷重が互いに異なることから、前記上扉及び前記下扉の間に位置する２つの多軸ヒンジにおいて、上側に位置する多軸ヒンジの強度と下側に位置する多軸ヒンジの強度とが互いに異なることが望ましい。
【００２０】
具体的には、前記上側に位置する多軸ヒンジの回転軸に直交する方向から見た厚みと、前記下側に位置する多軸ヒンジの回転軸に直交する方向から見た厚みとが互いに異なることが望ましい。
【００２１】
この構成において、前記上扉及び前記下扉の間に位置する２つの多軸ヒンジにおいて、前記冷蔵庫本体において左右対称又は上下対称に取り付け可能に構成されていることが望ましい。
【００２２】
前記扉は、前記開口部を閉塞する閉塞面とは異なる面に前記ヒンジ機構が取り付けられるものであることが望ましい。この構成であれば、扉の閉塞面において開口部を封止する部分を容易に確保することができる。
【００２３】
本発明の収納装置を用いて冷蔵庫を構成した場合には、本発明の効果を一層顕著にすることができる。
【発明の効果】
【００２４】
本発明によれば、ヒンジ機構が扉の上下に設けられた多軸ヒンジを有するので、扉を開放した際にヒンジ側の扉の角部を隣接する壁に接触しにくくして、扉を十分に開放できるようにすることができる。
【図面の簡単な説明】
【００２５】
【図１】本実施形態の冷蔵庫の構成図である。
【図２】同実施形態のヒンジ機構（２つの中間ヒンジ）において２つの中間ヒンジが閉塞位置にある状態を示す側面図である。
【図３】同実施形態のヒンジ機構（２つの中間ヒンジ）において１つの中間ヒンジ（中間ヒンジ５Ｃ）が開放位置にある状態を示す底面図である。
【図４】同実施形態のヒンジ機構（２つの中間ヒンジ）において１つの中間ヒンジ（中間ヒンジ５Ｃ）が開放位置にある状態を示す斜視図である。
【図５】同実施形態のヒンジ機構（２つの中間ヒンジ）において１つの中間ヒンジ（中間ヒンジ５Ｃ）が開放位置にある状態を示す斜視図である。
【図６】同実施形態の扉を開放した状態におけるヒンジ側の扉の角部と壁との位置関係を示す模式図である。
【図７】片開き冷蔵庫における２つの中間ヒンジの変形例を示す模式図である。
【図８】両開き冷蔵庫における２つの中間ヒンジの変形例を示す模式図である。
【図９】両開き冷蔵庫における２つの中間ヒンジの変形例を示す模式図である。
【図１０】変形実施形態の開放位置にあるヒンジ機構の平面図及びＡ−Ａ線断面図である。
【図１１】変形実施形態のヒンジ機構（２つの中間ヒンジ）において１つの中間ヒンジ（中間ヒンジ５Ｂ）が開放位置にある状態を示す斜視図である。
【発明を実施するための形態】
【００２６】
以下に本発明の収納装置を用いて冷蔵庫を構成した場合の一実施形態について図面を参照して説明する。
【００２７】
本実施形態の冷蔵庫１００は、図１に示すように、前面に仕切壁２２によって仕切られた上部開口部Ｈ１及び下部開口部Ｈ２を有する箱体である冷蔵庫本体２と、上部開口部Ｈ１を開閉する上扉３と、下部開口部Ｈ２を開閉する下扉４と、冷蔵庫本体２に対して上扉３及び下扉４を回転可能に支持するヒンジ機構５とを備えている。なお、冷蔵庫本体２の内部空間は、圧縮機と凝縮器と減圧装置と冷却器とを配管接続して構成された冷凍サイクルによって冷却される。
【００２８】
そして、ヒンジ機構５は、上扉３の上下に設けられた一対の多軸ヒンジ５Ａ、５Ｂと、下扉４の上下に設けられた一対の多軸ヒンジ５Ｃ、５Ｄとを有する。これらの多軸ヒンジ５Ａ〜５Ｄは、冷蔵庫本体２の前面部に設けられている。上扉３の上に設けられた多軸ヒンジ５Ａは、冷蔵庫本体２の上壁部２１に設けられ、上扉３の下に設けられた多軸ヒンジ５Ｂは、仕切壁２２に設けられている。また、下扉４の上に設けられた多軸ヒンジ５Ｃは、仕切壁２２に設けられ、下扉４の下に設けられた多軸ヒンジ５Ｄは、冷蔵庫本体２の下壁部２３に設けられている。
【００２９】
具体的にこれらの多軸ヒンジ５Ａ〜５Ｄは、図２〜図５に示すように、冷蔵庫本体２に固定される本体側部材５１と、上扉３又は下扉４に固定される扉側部材５２と、本体側部材５１及び扉側部材５２を互いに相対変位可能に連結するリンク機構５３とを備えている。４つの多軸ヒンジは、同じ回転軌道を有するものである。なお、以下では、上扉３の下に設けられた多軸ヒンジ５Ｂ及び下扉４の上に設けられた多軸ヒンジ５Ｃについて図２〜図５を参照して説明するが、その他の多軸ヒンジ５Ａ、５Ｄについても基本的な構成は同じである。
【００３０】
本実施形態では、扉側部材５２のリンク機構５３側の面（内面）には、上扉３又は下扉４の断熱部材からなる扉本体３１、４１が固定され、扉側部材５２のリンク機構５３とは反対側の面（外面）には意匠パネル３２、４２が固定される（図２参照）。
【００３１】
リンク機構５３は、７節リンク機構であり、複数（第１〜第４）のリンクＬ１〜Ｌ４と、それら複数のリンクＬ１〜Ｌ４を回転可能に連結する複数（第１〜第７）の軸部材Ｐ１〜Ｐ７とを有している。
【００３２】
第１のリンクアームＬ１の一端部は、第１の軸部材Ｐ１により本体側部材５１に連結されており、第１のリンクアームＬ１の他端部は、第２の軸部材Ｐ２により第２のリンクアームＬ２の一端部に連結されている。第２のリンクアームＬ２の他端部は、第３の軸部材Ｐ３により扉側部材５２に連結されている。
【００３３】
また、第３のリンクアームＬ３の一端部は、第４の軸部材Ｐ４により本体側部材５１に連結されており、第３のリンクアームＬ３の他端部は、第５の軸部材Ｐ５により第２のリンクアームＬ２に連結されている。なお、第２のリンクアームＬ２において、第３のリンクアームＬ３の他端部が連結される位置は、第１のリンクアームＬ１の他端部が連結される位置よりも他端部側（内側）である。
【００３４】
さらに、第４のリンクアームＬ４の一端部は、第６の軸部材Ｐ６により第３のリンクアームＬ３に連結されている。なお、第３のリンクアームＬ３において、第４のリンクアームＬ４の一端部が連結される位置は、第２のリンクアームＬ２の一端部に連結される位置よりも一端部側（内側）である。第４のリンクアームＬ４の他端部は、第７の軸部材Ｐ７により扉側部材５２に連結されている。
【００３５】
このようなリンク機構５３により、扉３、４は、図６に示すように、開口部Ｈ１、Ｈ２を閉塞する閉塞位置と、開口部Ｈ１、Ｈ２を開放する開放位置との間で回転するとともに、閉塞位置から開放位置に回転するに連れて、扉３、４のヒンジ側角部が冷蔵庫本体２に対して離れるように構成されている。
【００３６】
そして、複数の多軸ヒンジ５Ａ〜５Ｄのうち、上扉３及び下扉４の間に位置する２つの多軸ヒンジ５Ｂ、５Ｃ（以下、「中間ヒンジ５Ｂ、５Ｃ」ともいう。）は、本体側部材５１が共通とされている。
【００３７】
この共通とされた本体側部材５１（以下、「共通部材５１」ともいう。）は、上扉３の下に設けられる多軸ヒンジ５Ｂのリンク機構５３が連結される平板状の上側突出部５１１と、下扉４の上に設けられる多軸ヒンジ５Ｃのリンク機構５３が連結される平板上の下側突出部５１２とを有する。本実施形態では、突出部５１１、５１２を含む断面が概略コの字形状をなすものであり、上側突出部５１１と下側突出部５１２との間の中間部５１３が冷蔵庫本体２（具体的には仕切壁２２の前面部）にネジ固定される。この共通部材５１は、上側突出部５１１、下側突出部５１２及び中間部５１３が一体形成されたものである。
【００３８】
また、本実施形態では、２つの中間ヒンジ５Ｂ、５Ｃにおいて、扉側部材５２以外の構成部品、具体的には、共通部材５１及びリンク機構５３は、上下対称となるように構成されている。また、２つの中間ヒンジ５Ｂ、５Ｃにおいて、共通部材５１及び扉側部材５２以外の対応する構成部品、具体的にはリンク機構５３のリンクアームＬ１〜Ｌ４及び軸部材Ｐ１〜Ｐ７は、互いに同一形状とされている。なお、本実施形態では、２つの中間ヒンジ５Ｂ、５Ｃは、冷蔵庫本体２において左右対称に取り付け可能に構成されている。
【００３９】
このように構成された２つの中間ヒンジ５Ｂ、５Ｃの強度は、上扉３の上に設けられた多軸ヒンジ５Ａ及び下扉４の下に設けられた多軸ヒンジ５Ｄの強度よりも小さくなるように構成されている。この構成により、上扉３の荷重の大部分を上扉３の上に設けられた多軸ヒンジ５Ａで支持し、下扉４の荷重の大部分を下扉４の下に設けられた多軸ヒンジ５Ｄで支持することになる。その結果、２つの中間ヒンジ５Ｂ、５Ｃの強度を大きくする必要が無く、それら２つの中間ヒンジ５Ｂ、５Ｃの厚みを薄くすることができ、仕切壁２２の厚みを薄くして庫内の内容積を大きくすることができる。
【００４０】
その他、図２に示すように、２つの中間ヒンジ５Ｂ、５Ｃの扉側部材５２に固定される意匠パネル３２、４２の間隔ｄ１は、２つの中間ヒンジ５Ｂ、５Ｃの扉側部材５２の間隔ｄ２よりも小さくなるように構成されている。この構成により、扉側部材５２に対して意匠パネル３２、４２の上下方向における位置の調整代を確保することができる。
【００４１】
＜本実施形態の効果＞
このように構成した本実施形態の冷蔵庫１００によれば、ヒンジ機構５が扉３、４の上下に設けられた多軸ヒンジ５Ａ〜５Ｄを有するので、扉３、４を開放させる際に扉３、４を冷蔵庫本体２から前方に移動させることができる。その結果、冷蔵庫１００をキッチンの収納空間に一体的に据え付けて使用したり、収納家具に収容して使用したりする場合であっても、扉３、４を開放した際にヒンジ側の扉の角部Ｋが隣接する壁Ｗに接触しにくくなり（図６参照）、扉３、４を十分に開放できるようにすることができる。ここで、上扉３又は下扉４を閉じた状態において、意匠パネル３２、４２と壁Ｗの内面との隙間ｄ３が冷蔵庫１００と壁Ｗとの隙間となり、冷蔵庫本体２と壁Ｗの内面との隙間ｄ４は、放熱の観点から大きくすることが望ましい。
【００４２】
２つの中間ヒンジ５Ｂ、５Ｃは、本体側部材５１が共通とされているので、仕切壁２２の厚みを小さくすることができ、同じ高さの冷蔵庫と比較して庫内の内容積が小さくなってしまうことを防ぐことができる。また、本体側部材５１が２つの中間ヒンジ５Ｂ、５Ｃで共通とされているので２つの中間ヒンジ５Ｂ、５Ｃの厚みを薄くしても、共通とされた本体側部材５１の機械的強度を確保することができる。
【００４３】
共通とされた本体側部材５１において、上側突出部５１１と下側突出部５１２との間の中間部５１３が冷蔵庫本体２に固定される構成とされているので、本体側部材５１の機械的強度を確保しつつ、冷蔵庫本体２への取付スペースを小さくすることができる。また、リンク機構５３が連結される上側突出部５１１及び下側突出部５１２が平板状をなすので、２つの中間ヒンジ５Ｂ、５Ｃの厚みを小さくすることができる。
【００４４】
＜その他の変形実施形態＞
なお、本発明は前記実施形態に限られるものではない。
【００４５】
例えば、前記実施形態のリンク機構は、７節リンク機構であったが、その他の多節リンク機構であっても良い。
【００４６】
また、前記実施形態のヒンジ機構では、２つの中間ヒンジ５Ｂ、５Ｃで本体側部材を共通化しているが、別々の部材としても良い。また、２つの中間ヒンジ５Ｂ、５Ｃの本体側部材を共通化した場合には、単一の部材から構成する他、複数部品から構成されたものとしても良い。
【００４７】
前記実施形態では、２つの中間ヒンジ５Ｂ、５Ｃにおいて、扉側部材以外の構成部品が上下対称となるように構成されているが、それらを非対称に構成してもよい。なお、扉側部材も非対称に構成してもよい。つまり、中間ヒンジ５Ｂの機械的強度と中間ヒンジ５Ｃの機械的強度とが異なるように構成してもよい。例えば上扉が冷蔵室の扉であり、下扉が冷凍室の扉である場合には、上扉のドアポケットの収納重量により上扉の方が下扉よりも重くなることから、中間ヒンジ５Ｂの機械的強度を中間ヒンジ５Ｃの機械的強度よりも強くすることが考えられる。機械的強度を強くする方法としては、構成部品を大型化することが考えられる。なお、この構成は、２つの中間ヒンジ５Ｂ、５Ｃで本体側部材を共通化した場合の他、２つの中間ヒンジ５Ｂ、５Ｃで本体側部材を別々の部材とした場合でも同様である。
【００４８】
ここで、２つの中間ヒンジ５Ｂ、５Ｃの機械的強度の変形例を図７に示す。図７（ａ）は、中間ヒンジ５Ｂの機械的強度が中間ヒンジ５Ｃの機械的強度よりも強い場合を示しており、図７（ｂ）は中間ヒンジ５Ｃの機械的強度が中間ヒンジ５Ｂの機械的強度よりも強い場合を示している。なお、この構成は、２つの中間ヒンジ５Ｂ、５Ｃで本体側部材を共通化した場合の他、２つの中間ヒンジ５Ｂ、５Ｃで本体側部材を別々の部材とした場合でも同様である（図７（ｃ）、（ｄ））。
【００４９】
なお、図７において上扉３の上に位置する多軸ヒンジ５Ａ及び下扉４の下に位置する多軸ヒンジ５Ｄの機械的強度は何れも強い場合を示しているが、中間ヒンジ５Ｂ、５Ｃの機械的強度が強い場合には、対応する多軸ヒンジ（中間ヒンジ５Ｂの機械的強度が強い場合は多軸ヒンジ５Ａ、中間ヒンジ５Ｃの機械的強度が強い場合は多軸ヒンジ５Ｄ）の機械的強度を弱くしてもよい。
【００５０】
また、観音開き（両開き）の冷蔵庫における２つの中間ヒンジ５Ｂ、５Ｃの機械的強度の変形例を図８に示す。図８（ａ）は、左右の２つの中間ヒンジ５Ｂ、５Ｃにおいて、中間ヒンジ５Ｂの機械的強度が中間ヒンジ５Ｃの機械的強度よりも強い場合を示しており、図８（ｂ）は、左右の２つの中間ヒンジ５Ｂ、５Ｃにおいて、中間ヒンジ５Ｃの機械的強度が中間ヒンジ５Ｂの機械的強度よりも強い場合を示している。ここで、左右の２つの中間ヒンジ５Ｂ、５Ｃにおいては、機械的強度が強いヒンジが異なるようにしてもよい。例えば、左の２つの中間ヒンジ５Ｂ、５Ｃでは、中間ヒンジ５Ｂの機械的強度が強く、右の２つの中間ヒンジ５Ｂ、５Ｃでは、中間ヒンジ５Ｃの機械的強度が強い構成である。なお、この構成は、２つの中間ヒンジ５Ｂ、５Ｃで本体側部材を共通化した場合の他、２つの中間ヒンジ５Ｂ、５Ｃで本体側部材を別々の部材とした場合でも同様である（図８（ｃ）、（ｄ））。また、２つの中間ヒンジ５Ｂ、５Ｃを別体構造とした場合には、図９に示すように、左の２つの中間ヒンジ５Ｂ、５Ｃの一方（例えば左の中間ヒンジ５Ｂ）と、右の２つの中間ヒンジ５Ｂ、５Ｃの他方（例えば右の中間ヒンジ５Ｃ）とを左右対称で使用可能な構造としてもよい。
【００５１】
なお、図８において上扉３の上に位置する多軸ヒンジ５Ａ及び下扉４の下に位置する多軸ヒンジ５Ｄの機械的強度は何れも強い場合を示しているが、中間ヒンジ５Ｂ、５Ｃの機械的強度が強い場合には、対応する多軸ヒンジ（中間ヒンジ５Ｂの機械的強度が強い場合は多軸ヒンジ５Ａ、中間ヒンジ５Ｃの機械的強度が強い場合は多軸ヒンジ５Ｄ）の機械的強度を弱くしてもよい。
【００５２】
また、上扉３及び下扉４の間に位置する２つの多軸ヒンジ５Ｂ、５Ｃにおいて、上側に位置する多軸ヒンジ５Ｂの強度と下側に位置する多軸ヒンジ５Ｃの強度とが互いに異ならせてもよい。具体的には、上側に位置する多軸ヒンジ５Ｂの回転軸に直交する方向から見た厚みと、下側に位置する多軸ヒンジ５Ｃの回転軸に直交する方向から見た厚みとが互いに異なることが望ましい。具体的には、上側に位置する多軸ヒンジ５Ｂのリンク機構５３の厚みと下側に位置する多軸ヒンジ５Ｃのリンク機構５３の厚みとが互いに異なる。上側のものと下側のものとで何れが厚くてもよい。また、この構成において、上扉３及び下扉４の間に位置する２つの多軸ヒンジ５Ｂ、５Ｃにおいて、冷蔵庫本体２において左右対称又は上下対称に取り付け可能に構成されていることが望ましい。このとき、厚みが大きい方の多軸ヒンジ５Ｂ又は５Ｃとともに扉を支持する多軸ヒンジ（多軸ヒンジ５Ｂの場合は多軸ヒンジ５Ａ、多軸ヒンジ５Ｃの場合は多軸ヒンジ５Ｄ）は厚みを小さくすることができる。
【００５３】
また、前記実施形態では、２つの中間ヒンジ５Ｂ、５Ｃは、冷蔵庫本体２において左右対称に取り付け可能に構成されているが、左右対称に取り付け可能に構成されていなくてもよい。
【００５４】
さらに、前記実施形態の共通部材は、突出部を含む断面が概略コの字形状をなすものであったが、共通部材の形状はこれに限られない。
【００５５】
その上、前記実施形態の２つの中間ヒンジにおいて、第１の軸部材及び第４の軸部材はヒンジ毎に別々に設けていたが、２つの中間ヒンジにおいて、第１の軸部材を１つの共用部材から構成しても良いし、第４の軸部材を１つの共用部材から構成しても良い。この場合、これらの共用部材は、共通部材の上側突出部と下側突出部とに亘って設けられる。この構成により、２つの中間ヒンジは、互いに共通の軸部材により回転可能に構成されることになる。
【００５６】
扉の閉塞面において開口部を封止する部分を容易に確保するためには、扉は、開口部を閉塞する閉塞面とは異なる側面にヒンジ機構５が取り付けられるものであることが望ましい。つまり、ヒンジ機構５の扉側部材５２が扉３、４の閉塞面とは異なる面に取り付けられる。
【００５７】
前記実施形態では、２つの中間ヒンジ５Ｂ、５Ｃは本体側部材５１と別々の軸部材により連結されていたが、図１０に示すように、中間ヒンジ５Ｂの第１の軸部材Ｐ１と中間ヒンジ５Ｃの第１の軸部材Ｐ１とを共通の軸部材としても良い。また、同様に、中間ヒンジ５Ｂの第４の軸部材Ｐ４と中間ヒンジ５Ｃの第４の軸部材Ｐ４とを共通の軸部材としても良い。この構成により、２つの中間ヒンジは、互いに共通の軸部材により回転可能に構成されることになる。この構成であれば、軸部材の部品点数を削減することができる。なお、図１０のリンク機構５３は前記実施形態のリンク機構５３とは若干構成が異なるが、動作内容は同じである。
【００５８】
また、図１０に示すように、リンク機構５３において複数のリンクの少なくとも１つは、その回転に伴って他のリンクに設けられた軸部材を収容する凹部を有するものである。具体的には、複数のリンクの何れかは、扉が開口部を閉塞する閉塞位置にある状態において他のリンクの軸部材を収容する第１の凹部Ｓ１を有しており、複数のリンクの何れかは、扉が開口部を開放する開放位置にある状態において他のリンクの軸部材を収容する第２の凹部Ｓ２とを有している。図１０では、第２のリンクＬ２に第５の軸部材Ｐ５を収容する第１の凹部Ｓ１と、第７の軸部材Ｐ７を収容する第２の凹部Ｓ２とが設けられている。また、第４のリンクＬ４に第３の軸部材Ｐ３を収容する第１の凹部Ｓ１が設けられている。
【００５９】
また、図１１に示すように、２つの中間ヒンジ５Ｂ、５Ｃは、機械的強度を補強するため、中間ヒンジ５Ｂと中間ヒンジ５Ｃとの間に補強部材（スペーサ）５４を有する構成としてもよい。具体的に補強部材５４は、本体側部材５１の機械的強度を補強するものであり、本体側部材５１の上側突出部５１１と下側突出部５１２との間の中間部５１３に設けられている。また、補強部材５４は、第４の軸部材Ｐ４の中央部分（第３のリンクＬ３の間）を支持して、第４の軸部材Ｐ４の機械的強度も補強している。なお、補強部材５４は、第１の軸部材Ｐ１を補強する構成としてもよい。
【００６０】
前記実施形態では収納装置を用いて冷蔵庫について説明したが、冷蔵庫に限られず、その他の収納装置にも適用可能である。
【００６１】
その他、本発明は前記実施形態に限られず、その趣旨を逸脱しない範囲で種々の変形が可能であるのは言うまでもない。
【符号の説明】
【００６２】
１００・・・冷蔵庫
２・・・冷蔵庫本体
Ｈ１・・・上部開口部
Ｈ２・・・下部開口部
２２・・・仕切壁
３・・・上扉
４・・・下扉
５・・・ヒンジ機構
５Ａ〜５Ｄ・・・多軸ヒンジ
５１・・・本体側部材
５１１・・・上側突出部
５１２・・・下側突出部
５２・・・扉側部材
５３・・・リンク機構
Ｌ１〜Ｌ４・・・リンク
Ｐ１〜Ｐ７・・・軸部材
Ｓ１・・・第１の凹部
Ｓ２・・・第２の凹部
【図１】
2020091066.tif 000003
【図２】
2020091066.tif 000004
【図３】
2020091066.tif 000005
【図４】
2020091066.tif 000006
【図５】
2020091066.tif 000007
【図６】
2020091066.tif 000008
【図７】
2020091066.tif 000009
【図８】
2020091066.tif 000010
【図９】
2020091066.tif 000011
【図１０】
2020091066.tif 000012
【図１１】
2020091066.tif 000013